(57)【要約】【課題】ヒートポンプ式空気調和機において、長期間にわたって安定的に加湿量を確保すること。【解決手段】ヒートポンプ式空気調和機６０は、圧縮機１、四方弁２、室外熱交換器６、膨張弁１０及び室内熱交換器３を冷媒配管で接続して冷凍サイクルを構成し、冷房運転及び暖房加湿運転が可能である。このヒートポンプ式空気調和機６０は、冷凍サイクルの一部に設けられ、暖房加湿運転時に外気から凝縮水を生成する副室外熱交換器９と、副室外熱交換器９で生成した凝縮水を溜める水受け部と、水受け部に溜めた凝縮水を加熱して蒸発させる加熱手段と、加熱手段により蒸発した蒸気を室内へ導く手段とを備える。【選択図】図１
2008144991.tif 000002
【特許請求の範囲】
【請求項１】
圧縮機、四方弁、室外熱交換器、膨張弁及び室内熱交換器を冷媒配管で接続して冷凍サイクルを構成し、冷房運転及び暖房加湿運転が可能なヒートポンプ式空気調和機において、
前記冷凍サイクルの一部に設けられ、暖房加湿運転時に外気を冷却して凝縮水を生成する副熱交換器と、
前記副熱交換器で生成した凝縮水を溜める水受け部と、
前記水受け部に溜めた凝縮水を加熱して蒸発させる加熱手段と、
前記加熱手段により蒸発した蒸気を室内へ導く手段とを備えた
ことを特徴とするヒートポンプ式空気調和機。
【請求項２】
請求項１において、前記副熱交換器は、冷房運転時に凝縮器の一部として用いると共に、暖房運転時に蒸発器の一部として用いることを特徴とするヒートポンプ式空気調和機。
【請求項３】
圧縮機、四方弁、主室外熱交換器、主膨張弁、主室外ファンを具備する室外機と、室内熱交換器、室内ファンを具備する室内機とを備え、前記圧縮機、前記四方弁、前記主室外熱交換器、前記主膨張弁及び前記室内熱交換器を冷媒配管で接続して冷凍サイクルを構成し、冷房運転及び暖房加湿運転が可能なヒートポンプ式空気調和機において、
前記冷凍サイクルの一部として暖房加湿運転時における前記主膨張弁の上流側に設けられ、前記室内熱交換器からの冷媒を減圧する副膨張弁と、
前記冷凍サイクルの一部として暖房加湿運転時における前記副膨張弁の下流側で且つ前記主膨張弁の上流側に設けられ、前記副膨張弁からの冷媒を流すことにより外気を冷却して凝縮水を生成する副室外熱交換器と、
前記副室外熱交換器で生成した凝縮水を溜める水受け皿と、
前記水受け皿に溜めた凝縮水を加熱して蒸発させる電気ヒーターとを備えた
ことを特徴とするヒートポンプ式空気調和機。
【請求項４】
請求項３において、前記副膨張弁、前記副室外熱交換器、前記水受け皿及び前記電気ヒーターを備えた副室外機を構成し、前記電気ヒーターにより蒸発された蒸気を前記室内機へ導くダクト及び前記ダクト内の蒸気を室内機へ強制的に送り出す加湿用ファンを備えたことを特徴とするヒートポンプ式空気調和機。
【請求項５】
請求項３において、前記副膨張弁、前記副室外熱交換器、前記水受け皿及び前記電気ヒーターを備えた副室外機を構成し、前記副室外機内部に凝縮水を貯めるためのタンクと、前記水受け皿に貯留された凝縮水の水位を検出するフロートスイッチと、前記フロートスイッチで検出した凝縮水の水位の低下に基づいて前記タンクの凝縮水を前記水受け皿に供給する弁とを備えたことを特徴とするヒートポンプ式空気調和機。
【請求項６】
請求項５において、前記副室外機に流入する冷媒配管入口と冷媒配管出口を直接接続したバイパス回路を設け、前記バイパス回路の冷媒配管経路途中に二方弁を具備し、前記二方弁を暖房加湿運転時に閉路し暖房加湿運転時以外の運転時に開路することを特徴とするヒートポンプ式空気調和機。
【請求項７】
請求項３において、前記電気ヒーターの温度を検知するヒーター用センサーを設置したことを特徴とするヒートポンプ式空気調和機。
【請求項８】
請求項３において、前記副膨張弁、前記副室外熱交換器、前記水受け皿及び前記電気ヒーターにて副室外機を構成し、前記室内機を室内の壁面に設置すると共に前記副室外機を前記室内機の設置場所の近傍の室外の壁面に設置したことを特徴とするヒートポンプ式空気調和機。
【発明の詳細な説明】
【技術分野】
【０００１】
本発明は、ヒートポンプ式空気調和機に係り、特に暖房加湿運転が可能なヒートポンプ式空気調和機に好適なものである。
【背景技術】
【０００２】
一般家庭で多く使用されているヒートポンプ式空気調和機は、室内機と室外機とが別体で構成され、室内機内には、室内空気と冷媒を熱交換させるための室内熱交換器と、室内空気を送り出す室内ファンとが設置され、室外機内には、外気と冷媒を熱交換させるための室外熱交換器と、外気を通風する送風機と、冷媒を循環させる圧縮機と、冷媒を減圧する膨張弁等が設置されている。これらの室内機と室外機との間に接続配管を用いて冷媒流路を接続することで、室内機と室外機の間を冷媒が行き来して冷凍サイクルが成り立っている。
【０００３】
この構成のヒートポンプ式空気調和機において、四方弁により冷媒の流れ方向を変えることによって冷房運転及び暖房運転を行っている。現在のヒートポンプ式空気調和機のほとんどは、冷房運転及び暖房運転が中心になって制御が行われている。しかしながら、従来からヒートポンプ式空気調和機といいながら暖房加湿運転ができないものがほとんどであった。
【０００４】
従来の暖房加湿運転が可能なヒートポンプ式空気調和機としては、特開２００１−９９４５２号公報（特許文献１）に示されたものがある。
【０００５】
このヒートポンプ式空気調和機は、室内機と室外機と加湿装置とによって構成されている。室内機は室内熱交換器と室内ファンを備えている。室外機は圧縮機、膨張機構、室外熱交換器、室外ファン等を備えている。室内機と室外機とは、一対の連絡配管によって接続されている。室内熱交換器と共に圧縮機、膨張機構及び室外熱交換器が連絡配管等によって接続されて、冷凍サイクルが構成されている。この冷凍サイクルは四方弁によって冷凍サイクル動作とヒートポンプ動作とが切り換えられる。加湿装置は、外気に含まれる水分をゼオライトに一旦吸着させ、高湿となったゼオライトをヒーターにより加熱してゼオライトから水分を取出して加湿用空気を生成する加湿ユニットと、室内に開口して加湿用空気を加湿ユニットから室内に導く空気ダクトとを備え、加湿用空気を室内に送り込んで室内を加湿するようになっている。であって、
【特許文献１】特開２００１−９９４５２号公報
【発明の開示】
【発明が解決しようとする課題】
【０００６】
しかしながら、上述したゼオライトを使用したヒートポンプ式空気調和機では、ゼオライトの時系列的な劣化により、水分吸着量が減少することが考えられる。また、外気温度が低い（特に外気温度がマイナス）場合や外機湿度が低い場合において、ゼオライトによる水分吸着量が大幅に低下することが考えられ、安定した加湿量を維持することが困難であると考えられる。
【０００７】
本発明の目的は、長期間にわたって安定的に加湿量を確保することができるヒートポンプ式空気調和機を提供することにある。
【課題を解決するための手段】
【０００８】
前述の目的を達成するための本発明の第１の態様は、圧縮機、四方弁、室外熱交換器、膨張弁及び室内熱交換器を冷媒配管で接続して冷凍サイクルを構成し、冷房運転及び暖房加湿運転が可能なヒートポンプ式空気調和機において、前記冷凍サイクルの一部に設けられ、前記冷凍サイクルの一部に設けられ、暖房加湿運転時に外気を冷却して凝縮水を生成する副熱交換器と、前記副熱交換器で生成した凝縮水を溜める水受け部と、前記水受け部に溜めた凝縮水を加熱して蒸発させる加熱手段と、前記加熱手段により蒸発した蒸気を室内へ導く手段とを備えたものである。
【０００９】
係る本発明の第１の態様におけるより好ましい具体的構成例は次の通りである。
（１）前記副熱交換器は、冷房運転時に凝縮器の一部として用いると共に、暖房運転時に蒸発器の一部として用いること。
【００１０】
また、本発明の第２の態様は、圧縮機、四方弁、主室外熱交換器、主膨張弁、主室外ファンを具備する室外機と、室内熱交換器、室内ファンを具備する室内機とを備え、前記圧縮機、前記四方弁、前記主室外熱交換器、前記主膨張弁及び前記室内熱交換器を冷媒配管で接続して冷凍サイクルを構成し、冷房運転及び暖房加湿運転が可能なヒートポンプ式空気調和機において、前記冷凍サイクルの一部として暖房加湿運転時における前記主膨張弁の上流側に設けられ、前記室内熱交換器からの冷媒を減圧する副膨張弁と、前記冷凍サイクルの一部として暖房加湿運転時における前記副膨張弁の下流側で且つ前記主膨張弁の上流側に設けられ、前記副膨張弁からの冷媒を流すことにより外気を冷却して凝縮水を生成する副室外熱交換器と、前記副室外熱交換器で生成した凝縮水を溜める水受け皿と、前記水受け皿に溜めた凝縮水を加熱して蒸発させる電気ヒーターとを備えたものである。
【００１１】
係る本発明の第２の態様におけるより好ましい具体的構成例は次の通りである。
（１）前記副膨張弁、前記副室外熱交換器、前記水水受け皿及び前記電気ヒーターにて副室外機を構成し、前記電気ヒーターにより蒸発された蒸気を前記室内機へ導くダクト及び前記ダクト内の蒸気を室内機へ強制的に送り出す加湿用ファンを備えたこと。
（２）前記副膨張弁、前記副室外熱交換器、前記水水受け皿及び前記電気ヒーターにて副室外機を構成し、前記副室外機内部に凝縮水を貯めるためのタンクと、前記水受け皿に貯留された凝縮水の水位を検出するフロートスイッチと、前記フロートスイッチで検出した凝縮水の水位の低下に基づいて前記タンクの凝縮水を前記水受け皿に供給する弁とを備えたこと。
（３）前記副室外機に流入する冷媒配管入口と冷媒配管出口を直接接続したバイパス回路を設け、前記バイパス回路の冷媒配管経路途中に二方弁を具備し、前記二方弁を暖房加湿運転時に閉路し暖房加湿運転時以外の運転時に開路すること。
（４）前記電気ヒーターの温度を検知するヒーター用センサーを設置したこと。
（５）前記副膨張弁、前記副室外熱交換器、前記受け皿及び前記電気ヒーター前記電気ヒーター副室外機を構成し、前記室内機を室内の壁面に設置すると共に前記副室外機を前記室内機の設置場所の近傍の室外の壁面に設置したこと。
【発明の効果】
【００１２】
かかる本発明のヒートポンプ式空気調和機によれば、長期間にわたって安定的に加湿量を確保することができる。
【発明を実施するための最良の形態】
【００１３】
以下、本発明の複数の実施形態について図を用いて説明する。各実施形態の図における同一符号は同一物または相当物を示す。なお、本発明は、それぞれの実施形態を適宜に組み合わせることにより、さらに効果的なものとすることを含む。
（第１実施形態）
本発明の第１実施形態のヒートポンプ式空気調和機を図１から図４を用いて説明する。
【００１４】
本実施形態のヒートポンプ式空気調和機６０の全体に関して図１を参照しながら説明する。図１は本発明の第１実施形態のヒートポンプ式空気調和機６０の構成図である。
【００１５】
ヒートポンプ式空気調和機６０は、室外機３０と、室内機４０と、副室外機５０と、これらを連繋する接続装置とから構成され、冷房運転、暖房運転が可能である。暖房運転には暖房単独運転と暖房加湿運転とが含まれる。ここで、暖房加湿運転とは、暖房時に室内の加湿を行う運転のことである。これらの各運転モードはリモコン（図示せず）の操作により設定可能である。また、接続装置は、各機器３０、４０、５０を連絡する冷媒配管、電気配線、信号配線、及び副室外機５０と室内機４０とを連繋するダクトからなる。
【００１６】
リモコンには、冷房運転、暖房単独運転及び暖房加湿運転の各運転モードを個別に設定できる個別運転設定ボタンと、これらの運転モードを自動的に選択できる自動運転設定ボタンとが設けられている。自動運転設定ボタンが操作された場合には、室内の温度や湿度などを検出するセンサーの検出結果に基づいて、各運転モードが自動的に選択される。なお、暖房運転時に加湿を行う加湿ボタンを設け、暖房運転モードを設定した状態で加湿ボタンを操作することにより、暖房加湿運転が行われるようにしてもよい。
【００１７】
室外機３０は、室外に配置され、圧縮機１、四方弁２、主室外熱交換器６、主膨張弁５、室外空気である外気を室外熱交換器６に通風する主室外ファン７を具備して構成されている。
【００１８】
室内機４０は、室内の壁面上部などに配置され、室内熱交換器３、この室内熱交換器３に室内空気を通風する室内ファン４を具備して構成されている。なお、室内熱交換器３を２つに分割すると共に、除湿用減圧装置を備えて、公知の除湿運転もできるようにしてもよい。
【００１９】
副室外機５０は、副室外筐体５１内に副膨張弁１０、副室外熱交換器９を具備して構成され、室外機３０と上下または左右に並置して、或いは室外機３０から離れて室外に配置される。副室外熱交換器９は、主室外熱交換器６と共に室外熱交換器を構成するものであり、プレートフィンと冷媒配管とから構成されている。
【００２０】
冷凍サイクルは、圧縮機１、四方弁２、主室外熱交換器６、主膨張弁５、副室外熱交換器９、副膨張弁１０、室内熱交換器３を冷媒配管で接続して構成されている。この冷凍サイクルにおいて、四方弁２を実線に示すように動作することにより、圧縮機１、四方弁２、主室外熱交換器６、主膨張弁５、副室外熱交換器９、副膨張弁１０、室内熱交換器３、四方弁２、圧縮機１の順に冷媒を循環する冷房サイクルが構成される。また、四方弁２を点線に示すように動作することにより、圧縮機１、四方弁２、室内熱交換器３、副膨張弁１０、副室外熱交換器９、主膨張弁５、主室外熱交換器６、四方弁２、圧縮機１の順に冷媒を循環する暖房サイクルが構成される。
【００２１】
冷房運転時は、主膨張弁５を全開状態に、副膨張弁１０を絞り状態にし、四方弁２を実線状態とした冷房サイクルで運転される。この冷房運転時において、冷媒は、圧縮機１で圧縮され、四方弁２を通り、主室外熱交換器６で外気に放熱して凝縮され、全開の主膨張弁５を通り、副室外熱交換器９で外気にさらに放熱して凝縮され、副膨張弁１０で絞られて減圧され、室内熱交換器３で室内空気から吸熱して蒸発され、四方弁２を通り、圧縮機１に戻される。かかる冷媒の循環が継続されることにより室内の冷房が行われる。
【００２２】
暖房単独運転時は、主膨張弁５を全開状態に、副膨張弁１０を絞り状態にし、四方弁２を点線状態とした暖房サイクルで運転される。この暖房単独運転において、冷媒は、圧縮機１で圧縮され、四方弁２を通り、室内熱交換器３で室内空気に放熱して凝縮され、副膨張弁１０で絞られて減圧され、副室外熱交換器９で外気から吸熱して蒸発され、全開の主膨張弁５を通り、主室外熱交換器６でさらに外気に放熱して蒸発され、四方弁２を通り、圧縮機１に戻される。かかる冷媒の循環が継続されることにより、加湿を伴わない室内の暖房が行われる。
【００２３】
暖房加湿運転時は、主膨張弁５及び副膨張弁１０を共に絞り状態にし、四方弁２を点線状態とした暖房サイクルで運転される。この暖房加湿運転において、冷媒は、圧縮機１で圧縮され、四方弁２を通り、室内熱交換器３で室内空気に放熱して凝縮され、副膨張弁１０で絞られて減圧され、副室外熱交換器９で外気から吸熱して蒸発され、主膨張弁５でさらに絞られて減圧され、主室外熱交換器６でさらに外気から吸熱して蒸発され、四方弁２を通り、圧縮機１に戻される。かかる冷媒の循環が継続されることにより、副室外熱交換器９の表面に凝縮水が生成され、この凝縮水を利用して加湿を伴った室内の暖房が行われる。このように、冷凍サイクルに設けた副室外熱交換器９により凝縮水を生成することにより、長期間にわたって安定的に加湿量を確保することができる。即ち、副膨張弁１０を絞ることで配管内の冷媒を減圧し、加湿に必要な水分を副室外熱交換器９にて凝縮させることができる。また、絞り量を調節することにより、時系列的にも安定した水分量を確保することができる。
【００２４】
次に、暖房加湿運転時における副室外熱交換器９に生成される凝縮水を利用した加湿に関して図２を参照しながら説明する。図２は図１の副室外機５０の断面概略図である。
【００２５】
副室外機５０は、加湿装置を構成するものであり、外気を凝縮して凝縮水を生成する副室外熱交換器９と、副室外熱交換器９で生成した凝縮水を溜める水受け皿１１と、この水受け皿１１に溜めた凝縮水を加熱して蒸発させる加熱手段である電気ヒーター１２と、電気ヒーター１２により蒸発された蒸気を室内機４０へ導くダクト１３と、ダクト１３内の蒸気を室内機４０へ強制的に送り出す加湿用ファン１４とから構成されている。
【００２６】
副室外熱交換器９は、暖房加湿運転時における副膨張弁１０の下流側で且つ主膨張弁５の上流側に設置され、副膨張弁１０で減圧された冷媒が流れることにより、外気を冷却して凝縮水を生成する。ここで、副膨張弁１０の絞り量は、外気から必要量の凝縮水が生成できるように、外気温度や外気湿度に基づいて制御装置（図示せず）により制御される。また、主膨張弁５及び副膨張弁１０の絞り量は、外気がマイナスの温度になった場合でも、副室外熱交換器９への着霜を抑制しつつ凝縮水の生成を可能とするように制御される。
【００２７】
水受け皿１１は、副室外熱交換器９から滴下する凝縮水を受けることができるように副室外熱交換器９の下方に配置され、この凝縮水を所定量貯留して必要な加湿量が確保できる深さを有している。水受け皿１１は、副室外熱交換器９より幅広に形成され、副室外熱交換器９より外側に位置する部分を蒸気生成部１１ａとしている。
【００２８】
電気ヒーター１２は、水受け皿１１に溜めた凝縮水を加熱して蒸発させるものであり、凝縮水を直接加熱できるように蒸気生成部１１ａ内に設置されている。これにより凝縮水を効率よく加熱することができる。
【００２９】
ダクト１３は、筒状に形成されて、蒸気生成部１１ａの上部に設置されている。ダクト１３の副熱交換器側の壁面１３ａの下端部は、水受け皿１１の底面近傍まで延びて形成されている。これによって、蒸気生成部１１ａ内の凝縮水を電気ヒーター１２により効率よく加熱して蒸気とすることができる。ダクト１３の反副熱交換器側の壁面１３ｂの下部の貯留した凝縮水の水面に近い位置に、外気取り入れ口１５が設けられている。この外気取り入れ口１５は露受け皿１１の側面に設けてもよい。ダクト１３の上端開口には、副室外機５０と室内機４０を連繋するダクトが接続されている。
【００３０】
加湿用ファン１４は、外気取り入れ口１５から外気を取り入れて、蒸気生成部１１ａで蒸発された蒸気と共に室内機４０へ送り出すものであり、ダクト１３内の上部に設置されている。外気取り入れ口１５を設けたことにより、加湿用ファン１４にて蒸気を室内に送る場合に、スムーズに室内空間に蒸気を送ることが出来る。
【００３１】
本実施形態によれば、従来のヒートポンプ式空気調和機に加湿用副室外機５０を追加するだけで加湿が可能なヒートポンプ式空気調和機にすることができる。また、通常の暖房単独運転及び冷房運転においても、副室外機５０は室外熱交換器６の補助的な役割を果たすことから、暖房性能あるいは冷房性能を向上させることも可能である。
（第２〜第８実施形態）
次に、本発明の第２〜第８実施形態について図３〜図１０を用いて説明する。この第２〜第８実施形態は、以下に述べる点で対比する実施形態と相違するものであり、その他の点については対比する実施形態と基本的には同一であるので、重複する説明を省略する。
【００３２】
図３は本発明の第２実施形態における副室外機５０の断面概略図である。この第２実施形態は、第１実施形態に比較して、水受け皿１１の凝縮水生成部１１ａのみを深く形成したものである。これにより、凝縮水生成部１１ａの凝縮水の量を確保して確実な加湿を行うことができる。
【００３３】
図４は本発明の第３実施形態における副室外機５０の断面概略図である。この第３実施形態は、第２実施形態に比較して、水受け皿１１の底面全体を凝縮水生成部１１ａに行くに従って徐々に深くなるように形成したものである。これにより、凝縮水生成部１１ａへ凝縮水をスムースに導くことができる。
【００３４】
図５は本発明の第４実施形態のヒートポンプ式空気調和機６０の構成図、図６は図５における副室外機５０の断面概略図である。
【００３５】
この第４実施形態は、第２実施形態に比較して、副室外機５０内に設置された副室外熱交換器９に外気からの空気を強制的に送る副室外ファン１６を設置したものである。第１実施形態では、副室外機５０の設置場所や副室外機５０の形状などにより、取れる水分の量が安定しない可能性がある。第２実施形態のように強制的に外気を送ることにより、外気を有効に取り入れることができ、安定して加湿量の増加を図ることができる。そして、副室外機５０の内部に室外の空気を強制的に循環させる加湿用ファン１４を設置し、副膨張弁１０の絞り量と副室外ファン１６の風量を調節することにより、外気からの水分除去量をコントロールすることができ、部屋の大きさの違いによる必要加湿量の違いで副室外機５０の構成を変える必要がなくなる。また、外気温度あるいは副室外熱交換器９の温度に対する副室外ファン１６の回転数を関連づける制御を行うことにより、副室外ファン１６を効率良く運転することができる。
【００３６】
さらには、この第４実施形態は、副室外機５０の内部に水分をためるためのタンク１７を設け、外気の湿度が高い時に、副膨張弁１０にて冷媒を減圧し、必要に応じて副室外ファン１６を動作させ、外気中から水分を確保する。そして、湿度が低い時には確保した水分をタンク１７から凝縮水生成部１１ａに送って加湿することにより、外気湿度が変化するときにも安定した加湿量を維持することができる。
【００３７】
図７は本発明の第５実施形態における副室外機５０の断面概略図である。この第５実施形態は、第４実施形態に比較して、凝縮水生成部１１ａの内部にフロート１８と弁１９等からなるフロートスイッチ２０を設けたものである。そして、フロート１８において水分が足りないときには、弁１９を開いて蒸気生成部１１ａに水を補給すると共に、副膨張弁１０を絞り、副室外ファン１６を作動させて、外気からの水分の捕水量を増やす。これにより、水分を確実に確保することができ、安定した加湿を行うことができる。
【００３８】
図８は本発明の第６実施形態における副室外機５０の断面概略図である。この第６実施形態は、第５実施形態に比較して、副室外機５０に流入する冷媒配管入口と冷媒配管出口を直接接続したバイパス回路２１を設け、バイパス回路２１の冷媒配管経路途中に二方弁２２を具備したものである。かかる構成とすることにより、暖房加湿運転をしないときや、タンク１７あるいは水受け皿１１に水分が十分ある時には、二方弁２２を開くと共に副室外機５１内に設置された副膨張弁１０を閉じることで、冷媒は副室外熱交換器９内部を通過することなく、室内機４０から室外機５０へ流れるため、省冷媒化が図れる。
【００３９】
図９は本発明の第７実施形態における副室外機５０の断面概略図である。この第７実施形態は、第１実施形態に比較して、副室外機５０内部に設置した電気ヒーター１２の温度を検知するヒーター用センサー２３を設置したものである。かかる構成とすることにより、電気ヒーター１２の過昇温を防止し、安全性を図ることができる。
【００４０】
図１０は本発明の第８実施形態における副室外機５０の断面概略図である。この第８実施形態は、第１実施形態に比較して、副室外機５０を室内２４に設置する室内機２５の近傍の外壁２６に設置したものである。かかる構成とすることにより、ダクト１３の長さを最小限にし、据え付け性を良好にすることができる。また、ダクト１３内での結露を最小限にすることができるため、カビや雑菌の繁殖を抑制することができる。
【図面の簡単な説明】
【００４１】
【図１】本発明の第１実施形態のヒートポンプ式空気調和機の構成図である。
【図２】図１における副室外機の断面概略図である。
【図３】本発明の第２実施形態における副室外機の断面概略図である。
【図４】本発明の第３実施形態における副室外機の断面概略図である。
【図５】本発明の第４実施形態のヒートポンプ式空気調和機の構成図である。
【図６】図４における副室外機の断面概略図である。
【図７】本発明の第５実施形態における副室外機の断面概略図である。
【図８】本発明の第６実施形態における副室外機の断面概略図である。
【図９】本発明の第７実施形態における副室外機の断面概略図である。
【図１０】本発明の第８実施形態における副室外機の断面概略図である。
【符号の説明】
【００４２】
１…圧縮機、２…四方弁、３…室内熱交換器、４…室内ファン、５…膨張弁、６…室外熱交換器、７…室外ファン、９…副室外熱交換器、１０…副膨張弁、１１…水受け皿、１１ａ…蒸気生成部、１２…電気ヒーター（加熱手段）、１３…ダクト、１３ａ、１３ｂ…壁面、１４…加湿用ファン、１５…外気取り入れ口、１６…副室外ファン、１７…タンク、１８…フロート、１９…弁、２０…フロートスイッチ、２１…バイパス回路、２２…二方弁、２３…ヒーター用センサー、２４…室内、２６…外壁、３０…室外機、４０…室内機、５０…副室外機、５１…副室外筐体、６０…ヒートポンプ式空気調和機。
【図１】
2008144991.tif 000003
【図２】
2008144991.tif 000004
【図３】
2008144991.tif 000005
【図４】
2008144991.tif 000006
【図５】
2008144991.tif 000007
【図６】
2008144991.tif 000008
【図７】
2008144991.tif 000009
【図８】
2008144991.tif 000010
【図９】
2008144991.tif 000011
【図１０】
2008144991.tif 000012